(57)【要約】【課題】  統一感があり洗練されたデザインを採用することが可能な手摺であって、手摺を構成する個々の部材の軽構造化を図ることができ、さらには、設置スペースの狭小化を図ることができる手摺を提供すること。【解決手段】  笠木Ｋと、この笠木Ｋの長手方向に沿って連設された複数の格子ユニットＵ，Ｕ，…とで手摺Ｔ１を構成する。また、各格子ユニットＵを、笠木Ｋを支持する三本の手摺子３０，３０，３０と、各手摺子３０の上端を連結して一体にする連結部材４０と、各手摺子３０の下端を連結して一体にするベース部材５０とで構成し、三本の手摺子３０，３０，３０の総てをベース部材５０を介して踏板Ｆに立設固定する。【選択図】      図１
2005113411.tif 000002
【特許請求の範囲】
【請求項１】
構造物の手摺取付部に据え付けられる手摺であって、
笠木と、当該笠木を支持する複数の手摺子とを備え、
前記各手摺子は、総て前記手摺取付部に立設固定されていることを特徴とする手摺。
【請求項２】
前記各手摺子の上端を連結する連結部材をさらに備え、
前記各手摺子が前記連結部材を介して前記笠木に固定されていることを特徴とする請求項１に記載の手摺。
【請求項３】
前記連結部材が前記各手摺子の上端面に載置されており、
前記各手摺子が前記連結部材の上側から螺入されたネジによって前記連結部材に固定されており、
前記連結部材がその下側から螺入されたネジによって前記笠木に固定されていることを特徴とする請求項２に記載の手摺。
【請求項４】
前記各手摺子の下端を連結するベース部材をさらに備え、
前記各手摺子が前記ベース部材を介して前記手摺取付部に固定されていることを特徴とする請求項１乃至請求項３のいずれか一項に記載の手摺。
【請求項５】
前記各手摺子が前記ベース部材の下側から螺入された複数のネジによって前記ベース部材に固定されており、
当該複数のネジが前記笠木の長手方向に直交する方向に沿って配置されていることを特徴とする請求項４に記載の手摺。
【請求項６】
構造物の手摺取付部に据え付けられる手摺であって、
笠木と、当該笠木の長手方向に沿って連設された複数の格子ユニットとを備え、
前記各格子ユニットは、前記笠木を支持する三本以上の手摺子と、当該各手摺子の上端を連結する連結部材とを有し、前記三本以上の手摺子が総て前記手摺取付部に立設固定されていることを特徴とする手摺。
【請求項７】
前記連結部材が前記各手摺子の上端面に載置されており、
前記各手摺子が前記連結部材の上側から螺入されたネジによって前記連結部材に固定されており、
前記連結部材がその下側から螺入されたネジによって前記笠木に固定されていることを特徴とする請求項６に記載の手摺。
【請求項８】
前記各格子ユニットは、前記各手摺子の下端を連結するベース部材をさらに有し、
前記各手摺子が前記ベース部材を介して前記手摺取付部に固定されていることを特徴とする請求項６又は請求項７に記載の手摺。
【請求項９】
前記各手摺子が前記ベース部材の下側から螺入された複数のネジによって前記ベース部材に固定されており、
当該複数のネジが前記笠木の長手方向に直交する方向に沿って配置されていることを特徴とする請求項８に記載の手摺。
【請求項１０】
前記構造物の手摺取付部が階段を構成する複数の踏板であり、
当該複数の踏板のそれぞれに前記格子ユニットが配設されていることを特徴とする請求項６乃至請求項９のいずれか一項に記載の手摺。
【請求項１１】
前記各手摺子がアルミニウム合金製の押出形材からなり、それぞれ同じ断面形状を有することを特徴とする請求項１乃至請求項１０のいずれか一項に記載の手摺。
【発明の詳細な説明】
【技術分野】
【０００１】
本発明は、構造物の手摺取付部に据え付けられる手摺に関する。
【背景技術】
【０００２】
従来、階段、階段踊場、ロフト、バルコニー等その他の構造物の手摺取付部に据え付けられる手摺は、手摺取付部に立設固定される複数の親柱と、これらの上端に架設される笠木と、隣り合う親柱の下部同士を連結する横支持材と、笠木と横支持材との間に配設される複数の手摺子と、を備えて構成されている（例えば、特許文献１参照）。
【０００３】
【特許文献１】特開平１１−３０３３５３号公報（段落００１８〜００２４、図１〜図４，図９）
【発明の開示】
【発明が解決しようとする課題】
【０００４】
ところが、かかる手摺では、笠木に作用する荷重の全てが親柱に集中することになるので、親柱自体を重厚な部材で構成するとともに、親柱と手摺取付部との取付構造を重構造にしなければならないが、重厚であるが故に美観を損ねてしまうという問題がある。
【０００５】
また、大きな荷重が作用する親柱と大きな荷重が作用しない手摺子とでその寸法・形状が不揃いになるため、統一感のあるデザインの妨げとなってしまうという問題もある。
【０００６】
さらに、例えば階段やバルコニー等において、広い供用スペースを確保するためには、手摺の設置スペースの狭小化を図る必要があるが、当該設置スペースは、結局のところ親柱の寸法形状によって規定されてしまうため、たとえ手摺子を軽構造にしたとしても、手摺全体の設置スペースの狭小化には限界がある。
【０００７】
そこで、本発明は、統一感があり洗練されたデザインを採用することが可能な手摺であって、手摺を構成する個々の部材の軽構造化を図ることができ、さらには、設置スペースの狭小化を図ることができる手摺を提供することを課題とする。
【課題を解決するための手段】
【０００８】
かかる課題を解決するために創案された請求項１の発明は、構造物の手摺取付部に据え付けられる手摺であって、笠木と、当該笠木を支持する複数の手摺子とを備え、前記各手摺子は、総て前記手摺取付部に立設固定されていることを特徴とする。
【０００９】
かかる手摺によると、複数の手摺子の総てが構造物の手摺取付部に立設固定されているので、笠木に作用する荷重が特定の手摺子に集中することがない。すなわち、笠木に作用した荷重は、複数の手摺子に分散して支持されることになるので、手摺子自体の軽構造化（省断面化）および手摺子と手摺取付部との取付構造の軽構造化を図ることが可能となり、その結果、設置スペースの狭小化を図ることが可能となる。また、この手摺によると、特定の手摺子に荷重が集中することがないので、総ての手摺子の寸法形状を同一にすることが可能であり、その結果、統一感のある洗練されたデザインを採用することが可能となる。なお、笠木は、木製のものに限らず、合成樹脂製、アルミニウム合金製、ステンレス製など種々の材質のものを使用することができるのはいうまでもない。
【００１０】
請求項２の発明は、請求項１に記載の手摺であって、前記各手摺子の上端を連結する連結部材をさらに備え、前記各手摺子が前記連結部材を介して前記笠木に固定されていることを特徴とする。
【００１１】
かかる手摺によると、複数の手摺子の上端が連結部材により一体にされているので、笠木に作用した荷重を確実に複数の手摺子に分散させることができる。また、個々の手摺子を笠木に固定する作業が不要になるので、取付作業が容易であり、さらには、所定本数の手摺子を事前に一体化しておくことが可能であり、この場合には、取付作業がより一層容易なものとなる。なお、連結部材は、少なくとも三つの手摺子を連結するものであればよく、総ての手摺子を連結するものである必要はない。
【００１２】
請求項３の発明は、請求項２に記載の手摺であって、前記連結部材が前記各手摺子の上端面に載置されており、前記各手摺子が前記連結部材の上側から螺入されたネジによって前記連結部材に固定されており、前記連結部材がその下側から螺入されたネジによって前記笠木に固定されていることを特徴とする。
【００１３】
かかる手摺によると、手摺子を連結部材に固定するためのネジが外面に露出することがない。
【００１４】
請求項４の発明は、請求項１乃至請求項３のいずれか一項に記載の手摺であって、前記各手摺子の下端を連結するベース部材をさらに備え、前記各手摺子が前記ベース部材を介して前記手摺取付部に固定されていることを特徴とする。
【００１５】
かかる手摺によると、施工現場において個々の手摺子を手摺取付部に固定する作業が不要になるので、手摺取付作業が容易になる。すなわち、所定本数の手摺子を予めベース部材で連結してパネル状に一体化しておけば、当該ベース部材を手摺取付部に取り付けるだけで、各手摺子が手摺取付部に立設固定されることになる。また、少なくとも三本の手摺子を連結部材ないしベース部材により一体化した時点で所定の強度が付与されるので手摺全体の強度も増加する。なお、ベース部材は、少なくとも三本の手摺子を連結するものであればよく、総ての手摺子を連結するものである必要はない。
【００１６】
請求項５の発明は、請求項４に記載の手摺であって、前記各手摺子が前記ベース部材の下側から螺入された複数のネジによって前記ベース部材に固定されており、当該複数のネジが前記笠木の長手方向に直交する方向に沿って配置されていることを特徴とする。
【００１７】
かかる手摺は、笠木の長手方向に直交する方向に沿って配置した複数のネジにより各手摺子が固定されているので、当該方向（すなわち、手摺に対し人が寄りかかる際等に通常作用する方向）に作用する荷重に対して高い抵抗力を発揮する。また、手摺子をベース部材に固定するためのネジが手摺取付部の上面に一切露出することがないので、美観を損なうこともない。
【００１８】
請求項６の発明は、構造物の手摺取付部に据え付けられる手摺であって、笠木と、当該笠木の長手方向に沿って連設された複数の格子ユニットとを備え、前記各格子ユニットは、前記笠木を支持する三本以上の手摺子と、当該各手摺子の上端を連結する連結部材とを有し、前記三本以上の手摺子が総て前記手摺取付部に立設固定されていることを特徴とする。
【００１９】
かかる手摺は、複数の格子ユニットを笠木の長手方向に沿って連設して構成したものであるが、各格子ユニットを構成する三本以上の手摺子の総てが構造物の手摺取付部に立設固定されているので、笠木に作用する荷重が特定の手摺子に集中することがなく、さらには、複数の手摺子の上端が連結部材により一体にされていることから、笠木に作用した荷重を確実に複数の手摺子に分散させることができる。すなわち、笠木に作用した荷重が複数の手摺子に分散して支持されることになるので、手摺子自体の軽構造化および手摺子と手摺取付部との取付構造の軽構造化を図ることが可能となり、その結果、設置スペースの狭小化を図ることが可能となる。また、この手摺によると、特定の手摺子に荷重が集中することがないので、総ての手摺子の寸法形状を同一にすることが可能であり、その結果、統一感のある洗練されたデザインを採用することが可能となる。なお、笠木は、木製のものに限らず、合成樹脂製、アルミニウム合金製、ステンレス製など種々の材質のものを使用することができるのはいうまでもない。
【００２０】
請求項７の発明は、請求項６に記載の手摺であって、前記連結部材が前記各手摺子の上端面に載置されており、前記各手摺子が前記連結部材の上側から螺入されたネジによって前記連結部材に固定されており、前記連結部材がその下側から螺入されたネジによって前記笠木に固定されていることを特徴とする。
【００２１】
かかる手摺によると、手摺子を連結部材に固定するためのネジが外面に露出することがない。
【００２２】
請求項８の発明は、請求項６又は請求項７に記載の手摺であって、前記各格子ユニットは、前記各手摺子の下端を連結するベース部材をさらに有し、前記各手摺子が前記ベース部材を介して前記手摺取付部に固定されていることを特徴とする。
【００２３】
かかる手摺によると、施工現場において個々の手摺子を手摺取付部に固定する作業が不要になるので、手摺取付作業が容易になる。すなわち、所定本数の手摺子を予めベース部材で連結して一体化しておけば、当該ベース部材を手摺取付部に取り付けるだけで、各手摺子が手摺取付部に立設固定されることになる。
【００２４】
請求項９の発明は、請求項８に記載の手摺であって、前記各手摺子が前記ベース部材の下側から螺入された複数のネジによって前記ベース部材に固定されており、当該複数のネジが前記笠木の長手方向に直交する方向に沿って配置されていることを特徴とする。
【００２５】
かかる手摺は、笠木の長手方向に直交する方向に沿って配置した複数のネジにより各手摺子が固定されているので、当該方向（すなわち、手摺に対し人が寄りかかる際等に通常作用する方向）に作用する荷重に対して高い抵抗力を発揮する。また、手摺子をベース部材に固定するためのネジが手摺取付部の上面に一切露出することがないので、美観を損なうこともない。
【００２６】
請求項１０の発明は、請求項６乃至請求項９のいずれか一項に記載の手摺であって、前記構造物の手摺取付部が階段を構成する複数の踏板であり、当該複数の踏板のそれぞれに前記格子ユニットが配設されていることを特徴とする。
【００２７】
かかる手摺は、階段を構成する複数の踏板のそれぞれに格子ユニットを据え付け、この格子ユニットで笠木を支持するものである。このようにすると、笠木に作用した荷重が最終的には複数段の踏板で支持されることになる。また、一つの踏板に少なくとも三本の手摺子が配置されることになるので、階段を昇降する人に安心感を与えることができる。
【００２８】
請求項１１の発明は、請求項１乃至請求項１０のいずれか一項に記載の手摺であって、前記各手摺子がアルミニウム合金製の押出形材からなり、それぞれ同じ断面形状を有することを特徴とする。
【００２９】
かかる手摺によると、手摺子がアルミニウム合金製の押出形材からなるので、軽量かつ高強度で見栄えのよい手摺とすることができる。
【発明の効果】
【００３０】
本発明に係る手摺によると、笠木に作用した荷重が複数の手摺子に分散して支持されることになるので、手摺子自体の軽構造化および手摺子と手摺取付部との取付構造の軽構造化を図ることが可能となり、その結果、手摺設置スペースの狭小化を図ることも可能となる。また、特定の手摺子に荷重が集中することがないので、総ての手摺子の寸法形状を同一にすることが可能であり、その結果、統一感のある洗練されたデザインを採用することが可能となる。
【発明を実施するための最良の形態】
【００３１】
以下、本発明を実施するための最良の形態を、添付した図面を参照しつつ詳細に説明する。
【００３２】
（第一の実施形態）
第一の実施形態に係る手摺Ｔ１は、図１に示すように、構造物の手摺取付部たる階段の踏板Ｆ，Ｆ，…に据え付けられており、各踏板Ｆの上方に階段と同じ勾配で設置された笠木Ｋと、この笠木Ｋの長手方向に沿って連設された複数の格子ユニットＵ，Ｕ，…とを備えて構成されている。
【００３３】
笠木Ｋは、図２に示すように、階段を昇降する人が把持するカバー１０と、このカバー１０の内部に嵌挿される受材２０とを備えて構成されている。カバー１０は、図４（ａ）に示すように、下面が開口した断面略円形の合成樹脂製の押出成形品からなる。また、受材２０は、下面が開口したアルミニウム合金製の押出形材からなり、その内側上面にはその押出方向（長手方向）に沿って凹溝２０ａが形成されている。なお、カバー１０および受材２０の材質は、合成樹脂やアルミニウム合金に限定されることはなく、合成樹脂やステンレスなど様々なものを使用することができるのはいうまでもない。また、本実施形態では、カバー１０と受材２０とで笠木Ｋを構成したが、一体に構成されたものであってもよく、この場合には木材等を使用することもできる。また、図４（ｂ）に示すように、カバー１０の開口部には、当該開口部を塞ぐキャップ１１が嵌め込まれる。
【００３４】
格子ユニットＵは、図１に示すように、踏板Ｆに据え付けられるものであり、笠木Ｋを支持する三本の手摺子３０，３０，３０と、手摺子３０，３０，３０の上端を連結して一体にする連結部材４０と、手摺子３０，３０，３０の下端を連結して一体にするベース部材５０とを備えて構成されており、三本の手摺子３０，３０，３０の総てがベース部材５０を介して踏板Ｆに立設固定され、且つ、連結部材４０を介して笠木Ｋに固定されている。すなわち、格子ユニットＵは、三本の手摺子３０，３０，３０と連結部材４０とベース部材５０とをパネル状に一体化したものである。なお、本実施形態では、各手摺子３０の上端と連結部材４０との間にブラケット３５が介設されていることから、各手摺子３０は、ブラケット３５と連結部材４０とを介して笠木Ｋに固定されることになる。
【００３５】
手摺子３０は、図２に示すように、中空部３１を備える略角筒形状のアルミニウム合金製の押出形材からなり、その下端部にベース部材５０の下側から螺入された二本のタッピングネジＮ１，Ｎ１によってベース部材５０の上面に固定される。なお、中空部３１には、押出方向（長手方向）に沿って一対のビスポケット３１ａ，３１ａが形成されており、このビスポケット３１ａ，３１ａの下端部に二本のタッピングネジＮ１，Ｎ１が螺入される。また、手摺子３０の上部には、その長手方向と直交する方向にリベット孔３０ａが穿設されている。なお、図３に示すように、隣り合う手摺子３０，３０は、その間隔をｄとし、階段傾斜角をθとすると、下階側に配置される手摺子３０の方が、上階側に配置される手摺子３０よりもｄ×tanθだけ短くなっている。
【００３６】
ブラケット３５は、図２に示すように、手摺子３０の中空部３１に上方から挿入される脚部３６と、脚部３６が挿入されたときに手摺子３０の上面を塞ぐ蓋部３７と、蓋部３７の上面から上方に立ち上がる柱部３８とで構成されるアルミニウム合金製の鋳物部材であり、脚部３６を手摺子３０の中空部３１に挿入したうえで、脚部３６に穿設されたリベット孔３６ａおよび手摺子３０のリベット孔３０ａにリベットＲ１を打ち込んでかしめることにより手摺子３０の上端に固定される。なお、図４（ａ）に示すように、柱部３８は、階段中央側に傾斜しつつ上方に立ち上がり、さらに図３にも示すように、その上部が笠木Ｋと直交するように折り曲げられている。また、ブラケット３５の上部は、カバー１０および受材２０の開口部からこれらの内部に挿入される。
【００３７】
連結部材４０は、図２に示すように、笠木Ｋの凹溝２０ａ（図４（ａ）参照）にちょうど納まる断面形状を有するアルミニウム合金製の棒材（いわゆるフラットバー）からなり、その下側から螺入されたタッピングネジＮ３によって笠木Ｋの受材２０に固定される。また、連結部材４０は、三本の手摺子３０，３０，３０に対応する位置にネジ孔４０ａ，４０ａ，４０ａを有し、その上側からタッピングネジＮ２を挿通しつつ各ブラケット３５の上端に螺入することによって各ブラケット３５に固定される。このようにすると、タッピングネジＮ２が外面に露出することがない。
【００３８】
ベース部材５０は、図５（ａ）（ｂ）に示すように、平面視矩形形状を呈するアルミニウム合金製の板材からなり、その側縁部に三本の手摺子３０，３０，３０が立設固定される固定部５１，５１，５１が形成されている。固定部５１には、笠木Ｋ（図２参照）の長手方向に直交する方向Ｐに沿ってネジ孔５１ａ，５１ａが形成されている。このネジ孔５１ａ，５１ａは、手摺子３０のビスポケット３１ａ，３１ａ（図２参照）に対応しており、固定部５１の上面に手摺子３０を立設したうえで、タッピングネジＮ１，Ｎ１をベース部材５０の下側からネジ孔５１ａ，５１ａに挿通しつつ手摺子３０のビスポケット３１ａ，３１ａ（図２参照）の下端部に螺入すると手摺子３０がベース部材５０に固定される。また、ベース部材５０は、固定部５１のネジ孔５１ａの他に、複数のネジ孔５０ａを有しており、このネジ孔５０ａにベース部材５０の下側から木ネジＮ４を挿通して踏板Ｆの下面に螺入することによって踏板Ｆに固定される。なお、本実施形態では、各固定部５１に二つのネジ孔５１ａ，５１ａを形成したが、さらに多くのネジ孔を笠木Ｋ（図２参照）の長手方向に直交する方向Ｐに沿って固定部５１に形成してもよい。
【００３９】
踏板Ｆは、図２に示すように、その側端部に手摺子３０の下端部がちょうど納まる形状の切欠部Ｆ１を有し、さらに、側端部の裏面には、ベース部材５０がちょうど納まる形状の凹部Ｆ２を有している。また、切欠部Ｆ１は手摺子３０の下端部を踏板Ｆの側方から挿入可能な開口を有し、凹部Ｆ２はベース部材５０を踏板Ｆの側方から挿入可能な開口を有している。なお、踏板Ｆは、木製のものに限らず、鋼製その他の材質のものであっても差し支えない。
【００４０】
以上説明したように、本実施形態に係る手摺Ｔ１によると、図１に示すように、各格子ユニットＵにおいて、連続する三本の手摺子３０，３０，３０の総てが踏板Ｆに立設固定されているので、笠木Ｋに作用する荷重が特定の手摺子に集中することがなく、さらには、三本の手摺子３０，３０，３０の上端が連結部材４０により一体にされていることから、笠木Ｋに作用した荷重を確実に複数の手摺子３０に分散させることができる。このことは、このような格子ユニットＵを複数個連設して構成した手摺全体についても同様に当てはまる。すなわち、笠木Ｋに作用した荷重が複数の手摺子３０に分散して支持されることになるので、手摺子３０自体の軽構造化および手摺子３０と踏板Ｆとの取付構造の軽構造化を図ることが可能となり、その結果、手摺Ｔ１の設置スペースの狭小化を図ることが可能となる。
【００４１】
また、特定の手摺子に荷重が集中することがないので、総ての手摺子３０の断面寸法を同一にすることが可能であり、その結果、図６に示すように、統一感のある洗練されたデザインを有する手摺Ｔ１を得ることができる。さらに、一つの踏板Ｆに三本の手摺子３０，３０，３０が配置されているので、隣り合う手摺子３０，３０の間隔が小さくなり、その結果、階段を昇降する人に安心感を与えることができる。
【００４２】
加えて、格子ユニットＵは、三本の手摺子３０，３０，３０を連結部材４０とベース部材５０とでパネル状に一体化した時点で所定の強度が付与されるので、複数の格子ユニットＵ，Ｕ，…を連設して構成した手摺Ｔ１全体の強度も非常に高いものとなる。
【００４３】
また、図２に示すように、各手摺子３０がベース部材５０の下側から螺入された二本のタッピングネジＮ１，Ｎ１によってベース部材５０に固定されており、しかも二本のタッピングネジＮ１，Ｎ１が笠木Ｋの長手方向に直交する方向Ｐに沿って配置されているので、この方向Ｐに作用する荷重に対して高い抵抗力を発揮することとなる。しかも、このタッピングネジＮ１，Ｎ１が踏板Ｆの上面に一切露出することがないので、美観を損なうこともない。
【００４４】
また、笠木Ｋ（受材２０）、各手摺子３０がアルミニウム合金製の押出形材であるので、軽量かつ高強度で見栄えのよい手摺とすることができる。
【００４５】
なお、施工現場において手摺Ｔ１を構築する場合には、予め三本の手摺子３０，３０，３０を連結部材４０とベース部材５０とでパネル状に一体化して格子ユニットＵを形成しておき、階段を構築した後に踏板Ｆの側端部に格子ユニットＵを据え付け、その後、複数の格子ユニットＵ，Ｕ，…の上端部に笠木Ｋを配設すればよい。
【００４６】
より詳細に説明すると、図２に示すように、複数の踏板Ｆ，Ｆ，…の各々において、その側方に格子ユニットＵを位置させたうえで、各手摺子３０の下端部を切欠部Ｆ１に、ベース部材５０を凹部Ｆ２にそれぞれ挿入し、次いでベース部材５０の下側から踏板Ｆに木ネジＮ４を螺入してベース部材５０を踏板Ｆに固定して格子ユニットＵを据え付け、総ての踏板Ｆ，Ｆ，…に格子ユニットＵを据え付けた後に複数の格子ユニットＵ，Ｕ，…の上端部に笠木Ｋを取り付ければよい。また、図２および図３に示すように、笠木Ｋを各格子ユニットＵに取り付けるには、連結部材４０の上方から笠木Ｋを覆い被せ、笠木Ｋの凹溝２０ａ（図４（ａ）参照）に連結部材４０を嵌め込んだうえで、連結部材４０の下側からタッピングネジＮ３を受材２０に螺入すればよい。
【００４７】
このように、三本の手摺子３０，３０，３０を予めベース部材５０に立設固定しておけば、施工現場において個々の手摺子３０を踏板Ｆに固定する作業が不要になるので、手摺取付作業が非常に容易になり、作業の効率化を図ることができる。また、三本の手摺子３０，３０，３０の上端が連結部材４０により一体にされているので、個々の手摺子３０を笠木Ｋに固定する作業も不要になる。
【００４８】
なお、本実施形態では、ベース部材５０を介して手摺子３０を踏板Ｆに立設固定したが、これに限定されることはなく、ベース部材５０を省略し、手摺子３０を直接踏板Ｆに立設固定してもよい。この場合でも、笠木Ｋに作用する荷重が特定の手摺子に集中することがなく、笠木Ｋに作用した荷重が複数の手摺子３０に分散して支持されることになるので、手摺子３０自体の軽構造化および手摺子３０と踏板Ｆとの取付構造の軽構造化を図ることが可能となり、その結果、設置スペースの狭小化を図ることが可能となる。
【００４９】
また、本実施形態では、手摺子３０と連結部材４０との間にブラケット３５を介設したが、これに限定されることはなく、図示は省略するが、手摺子の上端に連結部材を直接固定してもよい。
【００５０】
また、本実施形態では、三本の手摺子３０で格子ユニットＵを構成したが、四本以上の手摺子３０で格子ユニットを構成してもよい。手摺子３０の本数を多くすると、一の手摺子３０に作用する荷重の大きさが小さくなるので、その断面寸法を小さくすることができ、その結果、手摺設置スペースのさらなる狭小化を図ることが可能となる。なお、本実施形態にあっては、上下に隣り合う踏板Ｆ，Ｆ間の手摺子３０，３０の間隔（上段の踏板Ｆの最前部にある手摺子３０と下段の踏板Ｆの最後部にある手摺子３０との間隔）が同じ踏板Ｆに取り付けられる手摺子３０，３０の間隔と同じ間隔で形成されており、全体を通じて統一されたデザインを形成している。
【００５１】
（第二の実施形態）
前記した第一の実施形態では、複数の格子ユニットを笠木の長手方向に連設して手摺を
構成したが、複数の手摺子の総てが構造物の手摺取付部に立設固定されているものであれば、複数の格子ユニットを連設する構成としなくてもよい。
【００５２】
第二の実施形態に係る手摺Ｔ２は、図７に示すように、床板Ｆｒ１の上方に水平に設定された笠木Ｋと、三本以上の手摺子３０，３０，…と、これらの上端を連結して一体にする連結部材４０’および下端を連結して一体にするベース部材５０’とを備えて構成されており、三本以上の手摺子３０，３０，…の総てがベース部材５０’を介して構造物の手摺取付部たる梁材Ｈに立設固定され、且つ、連結部材４０’を介して笠木Ｋに固定されている。なお、本実施形態では、各手摺子３０の上端と連結部材４０’との間にブラケット３５が介設されていることから、各手摺子３０は、ブラケット３５と連結部材４０’とを介して笠木Ｋに固定されることになる。なお、図中、符号Ｆｒ２は、ベース部材５０’の側端部分を覆う縁部材である。この縁部材Ｆｒ２には、手摺子３０の下端部がちょうど納まる形状の切欠部が形成されている。
【００５３】
ここで、笠木Ｋ、手摺子３０およびブラケット３５の構成は、第一の実施形態で説明したものと同様であるので、その詳細な説明は省略する。
【００５４】
連結部材４０’は、笠木Ｋの凹溝２０ａ（図４（ａ）参照）にちょうど納まる断面形状を有し、且つ、少なくとも連続する三本の手摺子３０を連結し得る長さを有するアルミニウム合金製の棒材（いわゆるフラットバー）からなり、その下側から螺入された図示しないタッピングネジによって笠木Ｋに固定される。また、連結部材４０’は、複数の手摺子３０，３０，…に対応する位置に複数のネジ孔（図示略）を有しており、このネジ孔にタッピングネジ（図示略）を挿通して各ブラケット３５の上端に螺入することによって各ブラケット３５に固定される。なお、連結部材４０’は、少なくとも連続する三本の手摺子３０を連結するものであればよく、同様に、ベース部材５０’は、少なくとも連続する三本の手摺子３０を連結するものであればよい。すなわち、連結部材４０’は、笠木Ｋの全長に及ぶ長さを有している必要はなく、施工性等を考慮しつつ適宜な長さに設定すればよい。
【００５５】
ベース部材５０’は、少なくとも連続する三本の手摺子３０を連結し得る長さを有するアルミニウム合金製の板材からなり、その側縁部に手摺子３０が立設固定される固定部５１が形成されている。固定部５１には、笠木Ｋの長手方向に直交する方向に沿ってネジ孔５１ａ，５１ａが形成されている。このネジ孔５１ａ，５１ａは、手摺子３０のビスポケット３１ａ，３１ａ（図２参照）に対応しており、固定部５１の上面に手摺子３０を立設したうえで、タッピングネジＮ１，Ｎ１をベース部材５０’の下側からネジ孔５１ａ，５１ａに挿通しつつ手摺子３０のビスポケット３１ａ，３１ａ（図２参照）の下端部に螺入すると手摺子３０がベース部材５０’に固定される。また、ベース部材５０’は、固定部５１のネジ孔５１ａの他に、複数のネジ孔５０ａを有しており、その上側から木ネジＮ５を梁材Ｈに螺入することによって梁材Ｈの上面に固定される。なお、ベース部材５０’は、少なくとも連続する三つの手摺子３０を連結するものであればよい。すなわち、ベース部材５０’は、笠木Ｋの全長に及ぶ長さを有している必要はなく、施工性等を考慮しつつ適宜な長さに設定すればよい。
【００５６】
以上説明したように、本実施形態に係る手摺Ｔ２によると、連続する三本以上の手摺子３０，３０，…の総てがベース部材５０’を介して梁材Ｈに立設固定されているので、笠木Ｋに作用する荷重が特定の手摺子に集中することがなく、さらには、連続する三本以上の手摺子３０，３０，…の上端が連結部材４０’により一体にされていることから、笠木Ｋに作用した荷重を確実に複数の手摺子３０，３０，…に分散させることができる。すなわち、笠木Ｋに作用した荷重が複数の手摺子３０，３０，…に分散して支持されることになるので、手摺子３０自体の軽構造化および各手摺子３０と梁材Ｈ（ベース部材５０’）との取付構造の軽構造化を図ることが可能となり、その結果、手摺Ｔ２の設置スペースの狭小化を図ることが可能となる。
【００５７】
また、所定本数の手摺子３０，３０，…を連結部材４０’およびベース部材５０’により一体化した時点で所定の強度が付与されるので手摺全体の強度も非常に高い。
【００５８】
また、特定の手摺子に荷重が集中することがないので、総ての手摺子３０についてその断面寸法を同一にすることが可能であり、その結果、統一感のある洗練されたデザインを有する手摺Ｔ２を得ることが可能となる。
【００５９】
また、各手摺子３０がベース部材５０’の下側から螺入された二本のタッピングネジＮ１，Ｎ１によってベース部材５０’に固定されており、しかも二本のタッピングネジＮ１，Ｎ１が笠木Ｋの長手方向に直交する方向に沿って配置されているので、当該長手方向に直交する方向に作用する荷重に対して高い抵抗力を発揮することとなる。
【００６０】
なお、施工現場において手摺Ｔ２を構築する場合には、予め複数の手摺子３０，３０，…をベース部材５０’に立設固定したうえで、このベース部材５０’を梁材Ｈの上面に載置固定し、次いで、各手摺子３０の上端にブラケット３５を取り付けたうえで、複数の手摺子３０，３０，…の上端（ブラケット３５の上端）を連結部材４０’で連結して一体にし、その後、複数のブラケット３５，３５，…および連結部材４０’に笠木Ｋを覆い被せ、図示しないタッピングネジを連結部材４０’の下側から笠木Ｋに螺入すればよい。
【００６１】
このように、複数の手摺子３０，３０，…を予めベース部材５０’に立設固定しておけば、施工現場において個々の手摺子３０を梁材Ｈに立設固定する作業が不要になるので、手摺取付作業が非常に容易になり、作業の効率化を図ることができる。また、複数の手摺子３０，３０，…の上端が連結部材４０’により一体化されているので、個々の手摺子３０を笠木Ｋに固定する作業も不要になる。
【００６２】
なお、各手摺子３０の上端にブラケット３５を取り付け、さらに複数のブラケット３５，３５，…を連結部材４０’で一体化させてパネル状のユニットを形成した後に、梁材Ｈの上面にベース部材５０’を載置固定してもよく、さらには、笠木Ｋを連結部材４０’に取り付けた後に、梁材Ｈの上面にベース部材５０’を載置固定しても勿論よい。
【００６３】
また、本実施形態では、ベース部材５０’を介して各手摺子３０を梁材Ｈに立設固定したが、これに限定されることはなく、ベース部材５０’を省略し、各手摺子３０を直接梁材Ｈに立設固定してもよい。同様に、連結部材４０’を省略し、各ブラケット３５を直接笠木Ｋに固定してもよい。このような場合でも、笠木Ｋに作用する荷重が特定の手摺子に集中することがなく、笠木Ｋに作用した荷重が複数の手摺子３０，３０，…に分散して支持されることになるので、手摺子３０自体の軽構造化および各手摺子３０と梁材Ｈとの取付構造の軽構造化を図ることが可能となり、その結果、手摺Ｔ２の設置スペースの狭小化を図ることが可能となる。
【００６４】
また、本実施形態では、各手摺子３０と連結部材４０’との間にブラケット３５を介設したが、これに限定されることはなく、図示は省略するが、手摺子の上端に連結部材を直接固定してもよい。
【００６５】
また、前記した各実施形態では、階段の踏板Ｆ（図６参照）に据え付けられた手摺Ｔ１と、梁材Ｈ（図７参照）に据え付けられた手摺Ｔ２とを例示したが、本発明に係る手摺はこのようなものに限定されることはなく、階段の側桁等に据え付けられるものであってもよく、さらには、階段踊場、バルコニー、腰壁等、種々の構造物の手摺取付部に据え付けることができる。すなわち、本発明に係る手摺は、階段手摺の他、バルコニー手摺や窓手摺等としても使用することができる。なお、手摺取付部が壁面に形成される場合もあるが、この場合には、図示は省略するが、手摺子の下部を屈曲させればよい。なお、本実施形態にあっては、複数の手摺子３０，３０，…は、等間隔で配置されており、すなわち、隣り合う手摺子３０，３０の間隔は、総て同じ間隔で形成されており、全体を通じ統一されたデザインを形成している。また、本実施形態のように手摺子３０，３０…のみで笠木Ｋが支持されることにより極めて洗練されたデザインとなる。
【図面の簡単な説明】
【００６６】
【図１】第一の実施形態に係る手摺の拡大斜視図である。
【図２】格子ユニットの分解斜視図である。
【図３】格子ユニット上部の拡大側面図である。
【図４】（ａ）は図３のＸ１−Ｘ１断面図であって、笠木とブラケットとを分離した状態を示す図、（ｂ）は図３のＸ２−Ｘ２断面図である。
【図５】（ａ）はベース部材の平面図、（ｂ）は格子ユニット下部の拡大側面図である。
【図６】第一の実施形態に係る手摺の全体側面図である。
【図７】第二の実施形態に係る手摺の拡大側面図である。
【符号の説明】
【００６７】
Ｔ１，Ｔ２    手摺
Ｋ      笠木
Ｕ      格子ユニット
３０    手摺子
４０，４０’    連結部材
５０，５０’    ベース部材
【図１】
2005113411.tif 000003
【図２】
2005113411.tif 000004
【図３】
2005113411.tif 000005
【図４】
2005113411.tif 000006
【図５】
2005113411.tif 000007
【図６】
2005113411.tif 000008
【図７】
2005113411.tif 000009